(57)【要約】      （修正有）【課題】缶体搬送コンベヤのガイド部材間に缶体を変形させることなく集積整列させることができる缶体の整列搬送装置を提供する。【解決手段】缶体供給コンベヤの一側に缶体搬送コンベヤを並列し、その缶体供給コンベヤと缶体搬送コンベヤに跨るように配置された整列ガイドに缶体供給コンベヤによって搬送される複列の缶体Ａの各列の缶体Ａを缶体搬送コンベヤの搬送面上に搬送方向に等間隔に設けられたガイド部材間に誘導する複数の案内路を設け、各案内路の一側部に一方向に回転して必要数の缶体Ａをガイド部材間に送り込む送りホィール３０を設ける。送りホィール３０を、上部送りホィール３２と下部送りホィール３３とで形成し、その上部送りホィール３２により缶体Ａの強度の高い上側折曲げ部ｂを受け止めて送り出すと共に、下部送りホィール３３により缶体Ａの強度の高い下側折曲げ部ｃを受け止めて送り出すようにして、缶体Ａが変形するのを防止する。【選択図】図３
2008285170.tif 000002
【特許請求の範囲】
【請求項１】
搬送される円筒状の缶体を誘導する案内路を有する整列ガイドと、
缶体の胴部が嵌合可能な案内溝が外周の等角度位置に形成され、その外周一部が案内路の一側のガイド板に形成された切欠部から案内路内に位置する状態で一方向に回転して必要数の缶体を送り込む送りホィールと、
からなる缶体の整列搬送用ガイド装置において、
前記送りホィールの案内溝が、缶体の上側折曲げ部と下側折曲げ部との間に位置する缶体の胴部全域を受け止める長さとされていることを特徴とする缶体の整列搬送用ガイド装置。
【請求項２】
搬送される円筒状の缶体を誘導する案内路を有する整列ガイドと、
缶体の胴部が嵌合可能な案内溝が外周の等角度位置に形成され、その外周一部が案内路の一側のガイド板に形成された切欠部から案内路内に位置する状態で一方向に回転して必要数の缶体を送り込む送りホィールと、
からなる缶体の整列搬送用ガイド装置において、
前記送りホィールが、缶体の上側折曲げ部を受け止める上部送りホィールと、缶体の下側折曲げ部を受け止める下部送りホィールとを備えていることを特徴とする缶体の整列搬送用ガイド装置。
【請求項３】
前記上部送りホィールと下部送りホィールを剛性の高い軸部で一体化した請求項２に記載の缶体の整列搬送用ガイド装置。
【請求項４】
前記上部送りホィールの軸方向長さを、高さが異なる数種の缶体のそれぞれの上側折曲げ部を受け止め得る長さとした請求項２又は３に記載の缶体の整列搬送用ガイド装置。
【請求項５】
前記切欠部が、上部送りホィールの外周一部が挿入される上部切欠部と、下部送りホィールの外周一部が挿入される下部切欠部で形成されて、その上部切欠部と下部切欠部間に缶体の胴部が案内される案内板部が設けられた構成からなる請求項２乃至４のいずれか１項に記載の缶体の整列搬送用ガイド装置。
【請求項６】
円筒状の缶体を搬送面の幅方向に並ぶ複列の状態で一方向に搬送する缶体供給コンベヤと、
前記缶体供給コンベヤの一側方において並列に配置され、缶体供給コンベヤの搬送面と略同一高さに保持された搬送面上にガイド部材が等間隔に設けられた缶体搬送コンベヤと、
請求項１乃至５のいずれか１項に記載の整列搬送用ガイド装置と、
を備え、前記整列搬送用ガイド装置における整列ガイドを、缶体供給コンベヤによって搬送される各列の缶体を缶体搬送コンベヤのガイド部材間に誘導するよう設けた缶体の整列搬送装置。
【発明の詳細な説明】
【技術分野】
【０００１】
この発明は、ビールやジュース等の液体が封入された缶体を目的位置に向けて送り込むようにした缶体の整列搬送用ガイド装置および缶体搬送コンベヤの搬送面上に等間隔に設けられたガイド部材間において縦および横方向に整列させて搬送する缶体の整列搬送装置に関するものである。
【背景技術】
【０００２】
搬送面上にガイド部材が等間隔に設けられた缶体搬送コンベヤとケース搬送コンベヤとを並列に配置し、上記缶体搬送コンベヤによって各ガイド部材間に縦および横方向に整列された集積缶体を下流側に搬送し、一方、ケース搬送コンベヤによってラップアラウンドケースを集積缶体と同方向に同速度で搬送し、その集積缶体およびラップアラウンドケースの搬送時に、ガイド部材間の集積缶体を集積状態でラップアラウンドケースの底面パネル上に押出し、そのラップアラウンドケースの搬送中に、そのラップアラウンドケースを組立てて、集積缶体を包装するようにしたラップアラウンドケーサは、特許文献１において既に知られている。
【０００３】
上記のようなラップアラウンドケーサにおいては、図４に示すように、缶体供給コンベヤ４０の一側方に缶体搬送コンベヤ４１を並列に設け、その缶体供給コンベヤ４０によって搬送される複列の缶体Ａの各列の缶体Ａを整列ガイド４２に形成された複列の案内路４３のそれぞれによって缶体搬送コンベヤ４１の搬送面上に搬送方向に等間隔に設けられたガイド部材４４間に誘導し、各案内路４３内に外周の一部が位置する送りホィール４５の回転によって、ガイド部材４４間に必要数の缶体Ａを送り込むようにしている。
【０００４】
ここで、整列ガイド４２に形成された複列の案内路４３の缶体出口４６は、隣接する案内路４３の缶体出口４６が缶体搬送コンベヤ４１の搬送面の幅方向と缶体搬送方向の両方向に位置がずれる配置とされ、幅方向の位置のずれ量は缶体Ａの外径に略等しい大きさとされている。
【０００５】
また、送りホィール４５は、図５（イ）、（ロ）に示すように、外周の等角度位置に缶体Ａの胴部ａが嵌合可能な案内溝４７を有している。この送りホィール４５は缶体搬送コンベヤ４１の缶体搬送速度に関連する周速度でもって一方向に連続回転し、上記案内溝４７で缶体Ａを受け止めるような状態で缶体搬送コンベヤ４１のガイド部材４４間に必要数の缶体Ａを送り込むようにしている。このようにして各列の案内路４３からガイド部材４４間に缶体Ａを送り込むことによって、缶体Ａは隣り合うガイド部材４４間に縦および横方向に整列され、その整列状態で缶体搬送コンベヤ４１によって下流側に搬送される。
【０００６】
【特許文献１】特開２００４−２９９７０９号公報
【発明の開示】
【発明が解決しようとする課題】
【０００７】
ところで、図４および図５に示す従来の缶体の整列搬送装置においては、送りホィール４５が缶体Ａの比較的強度の弱い胴部ａを受け止めて送り出すようにしているため、案内溝４７で缶体Ａが受け止められた際に、後続の缶体Ａが先の缶体Ａを押圧するラインプレッシャにより缶体Ａの胴部ａが送りホィール４５と接触する部分で変形、窪み、傷が発生するという不都合があった。特に、缶体Ａがアルミニウムによって形成されていると、胴部ａの強度が弱いため、変形することが多く、改良すべき点が残されていた。
【０００８】
この発明の課題は、缶体を変形させることなく目的位置に向けて送り込むことができるようにした缶体の整列搬送用ガイド装置、および缶体搬送コンベヤの搬送面上に設けられたガイド部材間に缶体を変形させることなく集積整列させることができるようにした缶体の整列搬送装置を提供することである。
【課題を解決するための手段】
【０００９】
上記の課題を解決するために、この発明に係る第１の缶体の整列搬送用ガイド装置においては、搬送される円筒状の缶体を誘導する案内路を有する整列ガイドと、缶体の胴部が嵌合可能な案内溝が外周の等角度位置に形成され、その外周一部が案内路の一側のガイド板に形成された切欠部から案内路内に位置する状態で一方向に回転して必要数の缶体を送り込む送りホィールとからなる缶体の整列搬送用ガイド装置において、前記送りホィールの案内溝を、缶体の上側折曲げ部と下側折曲げ部との間に位置する缶体の胴部全域を受け止める長さとした構成を採用したのである
【００１０】
また、この発明に係る第２の缶体の整列搬送用ガイド装置においては、搬送される円筒状の缶体を誘導する案内路を有する整列ガイドと、缶体の胴部が嵌合可能な案内溝が外周の等角度位置に形成され、その外周一部が案内路の一側のガイド板に形成された切欠部から案内路内に位置する状態で一方向に回転して必要数の缶体を送り込む送りホィールとからなる缶体の整列搬送用ガイド装置において、
前記送りホィールが、缶体の上側折曲げ部を受け止める上部送りホィールと、缶体の下側折曲げ部を受け止める下部送りホィールとを備えてなる構成を採用したのである。
【００１１】
ここで、上部送りホィールと下部送りホィールを剛性のある軸部で一体化することにより、単一の回転駆動装置によって上部送りホィールと下部送りホィールとを同時に同一位相で回転させることができるため、缶体の整列搬送装置の構成の簡素化を図ることができる。
【００１２】
また、上部送りホィールの軸方向長さを、高さが異なる数種の缶体のそれぞれの上側折曲げ部を受け止めて送り出し力を付与し得る長さとすることによって、単一の上部送りホィールにより高さが異なる缶体のそれぞれを受け止めて送り出すことができるため、整列対象の缶体が高さの異なる缶体に変更された場合に、缶体の上側折曲げ部の位置に応じて上部送りホィールの位置を変更するという位置調整作業を不要にすることができる。
【００１３】
この発明に係る第２の缶体の整列搬送用ガイド装置において、案内路の一側のガイド板に形成された切欠部が、上部送りホィールと下部送りホィールのそれぞれの外周一部が挿入される単一の切欠部であると、上部送りホィールと下部送りホィールのそれぞれで缶体が送り出されるとき、缶体は切欠部の下流側一側縁と各ホィールの隣接する案内溝間に形成された送り爪部とで挟持されて変形する可能性がある。
【００１４】
そこで、上記切欠部を、上部送りホィールの外周一部が挿入される上部切欠部と、下部送りホィールの外周一部が挿入される下部切欠部で形成して、上部切欠部と下部切欠部間に缶体の胴部が案内される案内板部を設けることにより、缶体の送り出し時に缶体は案内板部で案内されるため、缶体の変形を確実に防止することができる。
【００１５】
上記の課題を解決するため、この発明に係る缶体の整列搬送装置においては、円筒状の缶体を搬送面の幅方向に並ぶ複列の状態で一方向に搬送する缶体供給コンベヤと、前記缶体供給コンベヤの一側方において並列に配置され、缶体供給コンベヤの搬送面と略同一高さに保持された搬送面上にガイド部材が等間隔に設けられた缶体搬送コンベヤと、前記第１の整列搬送用ガイド装置または第２の整列搬送用ガイド装置とを備え、前記整列搬送用ガイド装置における整列ガイドを、缶体供給コンベヤによって搬送される各列の缶体を缶体搬送コンベヤのガイド部材間に誘導するよう設けた構成を採用したのである。
【発明の効果】
【００１６】
上記のように、この発明に係る第１の整列搬送用ガイド装置においては、送りホィールの案内溝を、缶体の上側折曲げ部と下側折曲げ部との間に位置する缶体の胴部全域を受け止める長さとしたことにより、缶体を変形させることなく目的位置に送り出すことができる。
【００１７】
また、この発明に係る第２の整列搬送用ガイド装置においては、送りホィールを上部送りホィールと下部送りホィールとで形成し、その上部送りホィールにより缶体の強度の高い上側折曲げ部を受け止めて送り出すと共に、下部送りホィールにより缶体の強度の高い下側折曲げ部を受け止めて送り出すようにしたので、缶体を変形させることなく目的位置に送り出すことができる。
【００１８】
さらに、この発明に係る缶体の整列搬送装置においては、送りホィールを上部送りホィールと下部送りホィールとで形成し、その上部送りホィールにより缶体の強度の高い上側折曲げ部を受け止めて送り出すと共に、下部送りホィールにより缶体の強度の高い下側折曲げ部を受け止めて送り出すようにしたので、缶体搬送コンベヤのガイド部材間において缶体を変形させることなく集積整列させることができる。
【発明を実施するための最良の形態】
【００１９】
以下、この発明の実施形態を図面に基づいて説明する。図１に示すように、缶体Ａを複列の状態で一方向に搬送する缶体供給コンベヤ１の一側方には缶体搬送コンベヤ１０が並列に配置され、その缶体搬送コンベヤ１０の搬送面上に、その搬送面の幅方向に長く延び、缶体搬送コンベヤ１０と一体的に同じ方向に移動するガイド部材１１が搬送方向に等間隔に設けられている。
【００２０】
缶体供給コンベヤ１の搬送面と缶体搬送コンベヤ１０の搬送面上には、両搬送面に跨るようにして整列ガイド２０が設けられている。整列ガイド２０には、缶体供給コンベヤ１によって搬送される複列の缶体Ａの各列の缶体Ａを缶体搬送コンベヤ１０のガイド部材１１間に誘導する複数の案内路２１が形成されている。
【００２１】
案内路２１は、缶体供給コンベヤ１の搬送面上に配置された直線路２１ａの下流側端に下流側に向けて傾斜する傾斜路２１ｂを連続させ、この傾斜路２１ｂが缶体供給コンベヤ１の搬送面から缶体搬送コンベヤ１０の搬送面へと延びて跨るような構成とされている。必要数の缶体Ａが隣り合うガイド部材１１間に縦および横方向に整列されるように、この複数の案内路２１の缶体出口２２は、隣接する案内路２１の缶体出口２２が缶体搬送コンベヤ１０の搬送面の幅方向と缶体搬送方向の両方向に位置がずれる配置とされ、搬送面の幅方向の位置のずれ量は缶Ａの外径に略等しい大きさとされている。
【００２２】
複数の案内路２１における傾斜路２１ｂのそれぞれ一側方には、缶体搬送コンベヤ１０の各ガイド部材１１間に必要数の缶体Ａを送り込む送りホィール３０が設けられている。
【００２３】
図２および図３に示すように、送りホィール３０は、合成樹脂の成形品からなり、外周の等角度位置に缶体Ａの胴部が嵌合可能な案内溝３１が形成されている。この送りホィール３０は外周の一部が案内路２１の一側のガイド板２３に形成された窓状の切欠部２４から案内路２１内に臨む配置とされている。
【００２４】
また、送りホィール３０は案内溝３１で缶体Ａを受け止めるような状態で缶体搬送コンベヤ１０のガイド部材１１間に必要数の缶体Ａを送り込むよう缶体搬送コンベヤ１０の缶体搬送速度に関連する周速度でもって図２の矢印で示す方向に回転駆動され、その複数の送りホィール３０のそれぞれの回転によりそれぞれの案内路２１から図１に示すように隣り合うガイド部材１１間に缶体Ａを送り込むことによって、缶体Ａは縦および横方向に整列し、その整列状態で下流側に搬送される。
【００２５】
ここで、送りホィール３０によって送り出される缶体Ａは、図３（ａ）に示すように、円筒状の胴部ａの上下の端部がテーパ状に縮径されて強度の高い折曲げ部ｂ、ｃを上下端部に有している。また、缶体Ａには、高さが異なる数種の缶体があり、図３（ａ）では、２種類の缶体Ａ１、Ａ２が示されている。
【００２６】
一方、送りホィール３０は、上部送りホィール３２と、その上部送りホィール３２と同一形状で同一大きさの下部送りホィール３３と、その両ホィール３２、３３を同一位相で一体化する上下方向に延びる軸部３４とからなり、上記上部送りホィール３２は缶体Ａの少なくとも上側折曲げ部ｂを受け止めてその上側折曲げ部ｂに送り出し力を付与し、下部送りホィール３３は缶体Ａの少なくとも下側折曲げ部ｃを受け止めてその下側折曲げ部ｃに送り出し力を付与するようになっている。また、軸部３４は剛性が高く、上部送りホィール３２と下部送りホィール３３を常に同一の位相で回転させるようになっている。
【００２７】
上部送りホィール３２の軸方向長さＬは、高さが異なる数種の缶体Ａ１、Ａ２のそれぞれの上側折曲げ部ｂを隣接する案内溝３１間に形成された送り爪部３１ａで受け止めて送り出し力を付与し得る長さとされている。
【００２８】
送りホィール３０が挿入される切欠部２４は、上部送りホィール３２が挿入される上部切欠部２４ａと、下部送りホィール３３が挿入される下部切欠部２４ｂとからなり、その上部切欠部２４ａと下部切欠部２４ｂとの間に缶体Ａの胴部ａを案内する案内板部２５が形成されている。
【００２９】
実施の形態で示すように、送りホィール３０を上部送りホィール３２と下部送りホィール３３とで一体的に形成し、その上部送りホィール３２により缶体Ａの強度の高い上側折曲げ部ｂを受け止めて送り出すと共に、下部送りホィール３３により缶体Ａの強度の高い下側折曲げ部ｃを受け止めて送り出すようにすることによって、缶体搬送コンベヤ１０のガイド部材１１間において缶体Ａに変形、窪み、傷を発生させることなく、しかも安定よくスムーズに集積整列させることができる。
【００３０】
実施の形態では、上部送りホィール３２の軸方向長さを、高さが異なる数種の缶体Ａ１、Ａ２のそれぞれの上側折曲げ部ｂを受け止めて送り出し力を付与し得る長さとしたが、上部送りホィール３２を上下方向に位置調整自在に支持し、集積整列される缶体Ａの上側折曲げ部ｂの高さに応じてその上部送りホィール３２の高さを調整するようにしてもよい。
【００３１】
実施の形態で示すように、上部送りホィール３２の軸方向長さを、高さが異なる数種の缶体Ａ１、Ａ２のそれぞれの少なくとも上側折曲げ部ｂを受け止めて送り出し力を付与し得る長さとすることにより、単一の上部送りホィール３２により高さが異なる缶体のそれぞれを受け止めて送り出すことができるため、整列対象の缶体Ａが高さの異なる缶体Ａに変更された場合に、缶体Ａの上側折曲げ部ｂの位置に応じて上部送りホィール３２の位置を変更するという位置調整作業を不要にすることができる。
【００３２】
また、案内路２１の一側のガイド板２３に形成された切欠部２４を、上部送りホィール３２の外周一部が挿入される上部切欠部２４ａと、下部送りホィール３３の外周一部が挿入される下部切欠部２４ｂで形成して、上部切欠部２４ａと下部切欠部２４ｂ間に缶体Ａの胴部ａが案内される案内板部２５を設けることにより、缶体Ａの送り出し時に缶体Ａの胴部ａは案内板部２５で案内されるため、缶体Ａは切欠部２４の下流側の一側縁と送りホィール３０の案内溝３１間に形成された送り爪部３１ａにより挟持されるという不都合の発生はなく、缶体Ａの変形を確実に防止することができる。
【００３３】
図３（ａ）では、送りホィール３０が、缶体Ａの少なくとも上側折曲げ部ｂを受け止めてその上側折曲げ部ｂに送り出し力を付与する上部送りホィール３２と、缶体Ａの少なくとも下側折曲げ部ｃを受け止めてその下側折曲げ部ｃに送り出し力を付与する下部送りホィール３３とからなるものを示したが、図３（ｂ）に示すように、案内溝３１が、缶体の上側折曲げ部と下側折曲げ部との間に位置する缶体Ａの胴部全域を受け止める長さとされた送りホィール３０を用いるようにしてもよい。そのような送りホィール３０を採用した場合においても缶体Ａを変形させることなく送り出すことができる。
【図面の簡単な説明】
【００３４】
【図１】この発明に係る缶体の整列搬送装置の実施の形態を示す平面図
【図２】図１に示す送りホィールの組込み部を示す一部切欠平面図
【図３】（ａ）は図２のIII−III線に沿った断面図、（ｂ）は送りホィールの他の例を示す断面図
【図４】従来の缶体の整列搬送装置を示す平面図
【図５】（イ）は、図４に示す送りホィールの組込み部を示す平面図、（ロ）は、（イ）のＶ−Ｖ線に沿った断面図
【符号の説明】
【００３５】
Ａ      缶体
ｂ      上側折曲げ部
ｃ      下側折曲げ部
１      缶体供給コンベヤ
１０    缶体搬送コンベヤ
１１    ガイド部材
２０    整列ガイド
２１    案内路
２２    缶体出口
２３    ガイド板
２４    切欠部
２４ａ  上部切欠部
２４ｂ  下部切欠部
２５    案内板部
３０    送りホィール
３１    案内溝
３２    上部送りホィール
３３    下部送りホィール
３４    軸部
【図１】
2008285170.tif 000003
【図２】
2008285170.tif 000004
【図３】
2008285170.tif 000005
【図４】
2008285170.tif 000006
【図５】
2008285170.tif 000007